(57)【要約】      （修正有）【課題】積み上げが容易で、非設置時には設置時に比べて体積を大きく削減することが可能なキャビネットを提供する。【解決手段】キャビネットは、複数個のプロジェクションユニットを配列して構成するマルチビジョンにおけるプロジェクションユニットのキャビネットであって、キャビネット本体を、互いに組み外し可能な複数の部分パネル１０，２０，３０，４０，５０を備える。【選択図】図２
2013117647.tif 000002
【特許請求の範囲】
【請求項１】
複数個のプロジェクションユニットを配列して構成するマルチビジョンにおける前記プロジェクションユニットのキャビネットであって、
キャビネット本体を、互いに組み外し可能な複数の部分パネルを備えて構成したことを特徴とする、
キャビネット。
【請求項２】
前記複数のプロジェクションユニットの配列設置時に高さ方向に沿って位置する前記部分パネルは、上段の前記プロジェクションユニットの対応する前記部分パネルの底面に嵌合するジョイント部を有する、
請求項１に記載のキャビネット。
【請求項３】
前記部分パネルは、前面パネル、背面パネル、左右側面パネル、及び底面パネルを含む、
請求項１又は２に記載のキャビネット。
【請求項４】
請求項１〜３のいずれかに記載のキャビネットと、
前記キャビネット内に着脱可能に設置され、映像光を出射する光学ユニットと、
前記部分パネルに着脱可能に取り付けられ、前記光学ユニットからの映像光を受けて映像を表示するスクリーンユニットと、を備える、
プロジェクションユニット。
【請求項５】
前記キャビネット内に設けられ、前記光学ユニットからの映像光を反射して前記スクリーンユニットに入射させる反射ミラーをさらに備える、
請求項４に記載のプロジェクションユニット。
【発明の詳細な説明】
【技術分野】
【０００１】
この発明はプロジェクションユニットに関し、特に、プロジェクションユニットの輸送や複数段の積み上げを簡単化する技術に関する。
【背景技術】
【０００２】
イベント会場や展示会において大画面表示を行う場合、５０〜８０インチのリアプロジェクションユニットを複数組み合わせてマルチビジョンを行うことが一般的である。リアプロジェクションユニットでは、キャビネット内の光学ユニットから映像光が投射され、キャビネットの前面に取り付けられたスクリーンに映像が表示される。
【０００３】
リアプロジェクションユニットは、インチサイズにより異なるが５０ｋｇ〜１２０ｋｇ程度とかなりの重量がある。そのため、マルチビジョンを構成すべくユニットを積み上げる作業は、ユニットの各隅を各人が担当し４人の作業員で持ち上げるという困難なものであった。また、積み上げ作業を機械で行うにしても、ホイストやクレーン等の大規模な設備が必要となるので困難であった。
【０００４】
さらに、リアプロジェクションユニットでは、スクリーンの背後から映像光を投射するためキャビネットの奥行きが大きくなってしまう。そのため、搬入時に狭い通路や扉を通ることが出来ない、あるいはトラックやコンテナへの積載効率が悪い等、輸送が困難であった。
【０００５】
これに対して特許文献１には、キャビネットを前後に２分割したプロジェクションユニットが開示されている。このプロジェクションユニットによれば、キャビネットの後半分をスライドしてキャビネットの前半分に収納することにより、キャビネットの体積を半減することが可能である。
【先行技術文献】
【特許文献】
【０００６】
【特許文献１】特開平８−１３０６９７号公報
【発明の概要】
【発明が解決しようとする課題】
【０００７】
特許文献１のプロジェクションユニットによれば、輸送時や保管時にキャビネットの体積を減らすことが可能であるが、通常時の半分程度の体積になるに過ぎない。直接投射方式のプロジェクションユニットはキャビネットの奥行きが長いので、体積を通常時の半分程度に減らしても依然体積は大きく、更なる体積の削減が求められる。
【０００８】
また、キャビネットの体積を削減しても重量が変わらないため、プロジェクションユニットの積み上げは依然困難である。
【０００９】
本発明は上述の問題点に鑑み、積み上げが容易で、非設置時には設置時に比べて体積を大きく削減することが可能なキャビネット、および当該キャビネットを有するプロジェクションユニットの提供を目的とする。
【課題を解決するための手段】
【００１０】
本発明のキャビネットは、複数個のプロジェクションユニットを配列して構成するマルチビジョンにおける前記プロジェクションユニットのキャビネットであって、キャビネット本体を、互いに組み外し可能な複数の部分パネルを備えて構成したことを特徴とする。
【００１１】
本発明のプロジェクションユニットは、本発明のキャビネットと、キャビネット内に着脱可能に設置され、映像光を出射する光学ユニットと、部分パネルに着脱可能に取り付けられ、光学ユニットからの映像光を受けて映像を表示するスクリーンユニットとを備える。
【発明の効果】
【００１２】
本発明のキャビネットは、複数個のプロジェクションユニットを配列して構成するマルチビジョンにおける前記プロジェクションユニットのキャビネットであって、キャビネット本体を、互いに組み外し可能な複数の部分パネルを備えて構成する。プロジェクションユニットの非設置時には、キャビネットを部分パネルに分解することによって体積を削減することが出来るので、輸送や保管が簡単になる。また、プロジェクションユニットを段積みする際には、部分パネル毎に積み上げることにより容易に作業を行う事が出来る。
【００１３】
本発明のプロジェクションユニットは、本発明のキャビネットと、キャビネット内に着脱可能に設置され、映像光を出射する光学ユニットと、部分パネルに着脱可能に取り付けられ、光学ユニットからの映像光を受けて映像を表示するスクリーンユニットとを備える。非設置時には部分パネルに分解することによって、キャビネットの体積を削減することが出来るので、輸送や保管が簡単になる。また、段積みする際には部分パネル毎に積み上げることにより容易に作業を行う事が出来る。
【図面の簡単な説明】
【００１４】
【図１】プロジェクションユニットの構成を示す分解斜視図である。
【図２】キャビネットの構成を示す分解斜視図である。
【図３】下段のプロジェクションユニット上に側面パネルを組み立てる様子を示す斜視図である。
【図４】下段のプロジェクションユニット上に背面パネルを組み立てる様子を示す斜視図である。
【図５】下段のプロジェクションユニット上に前面パネルを組み立てる様子を示す斜視図である。
【図６】下段のプロジェクションユニット上に底面パネルを組み立てる様子を示す斜視図である。
【図７】キャビネットにスクリーンユニットと光学ユニットを搭載する様子を示す斜視図である。
【図８】プロジェクションユニットを２行２列に配置してマルチビジョンを構成した様子を示す斜視図である。
【図９】キャビネットを部分パネルに分解して積み重ねた状態を示す斜視図である。
【発明を実施するための形態】
【００１５】
（実施の形態１）
＜構成＞
図１は、本発明に係るプロジェクションユニットの分解斜視図である。プロジェクションユニットは、キャビネット１と、キャビネット１内に設置され映像光を投射する光学ユニット３と、キャビネット１の前面に取り付けられ、映像光を受けて映像を表示するスクリーンユニット２とを備えている。光学ユニット３とスクリーンユニット２は、いずれもキャビネット１に対して取り外し可能に設置される。
【００１６】
図８は、図１に示すプロジェクションユニットを２段２列に配置してマルチビジョンを構成した様子を示す斜視図である。このように、プロジェクションユニットを横方向に並べる他、縦方向に段積みすることによってマルチビジョンを構成する。なお、マルチビジョンとは、複数のプロジェクションユニットを配列して構成される一つの大画面のことを指す。
【００１７】
図２は、キャビネット１の分解斜視図である。キャビネット１は、前面パネル１０、背面パネル２０、左側面パネル３０、右側面パネル４０、底面パネル５０を備えている。これらの部分パネルは、ボルト９０（図４参照）によって互いに組み合わされており、ボルト９０を外すことで分解することが可能である。なお、本明細書では、矩形枠と矩形枠の内部に設けられた板からなる部材をパネルと呼ぶ他、矩形枠の内部の一部に板が設けられた部材、さらには矩形枠のみの部材をもパネルと呼ぶ。
【００１８】
キャビネット１の前面を構成する前面パネル１０は、アルミ押し出しフレームの外周矩形枠を有している。外周矩形枠は、縦フレーム１０ａ，１０ｂ、横フレーム１０ｃ，１０ｄで構成される。外周矩形枠の内側には、これに接して、アルミ押し出しフレームの矩形枠であるミラー支持フレーム１５が設けられている。ミラー支持フレーム１５は、上側の横フレーム１０ｃに対してヒンジ（図示せず）で回転自在に連結されている。
【００１９】
ミラー支持フレーム１５の内側には、矩形穴を有するミラー支持板金１６が固定されている。ミラー支持板金１６にはミラーカバー１８が取り付けられ、ミラー支持板金１６とミラーカバー１８の間には反射ミラーが固定される。ミラーカバー１８は外力で反射ミラーが破損することを防ぐ他、周縁の一部が打ち抜き加工によって反射ミラーの側に折り曲げられた打ち抜き曲げ部１８ａとなっており、打ち抜き曲げ部１８ａにおいてミラー支持板金１６との間で反射ミラーを固定する。なお、反射ミラーはミラー支持板金１６の矩形穴を介してキャビネット１の内部に露出している。
【００２０】
縦フレーム１０ａ，１０ｂの上部には、上段のプロジェクションユニットと結合するためのジョイント部１０ａｊ，１０ｂｊが設けられている。ジョイント部１０ａｊ，１０ｂｊは、横フレーム１０ｃの取り付け位置よりも突出して縦フレーム１０ａ，１０ｂの上部に設けられ、その外寸は縦フレーム１０ａ，１０ｂの下面中空部の内寸と一致する。
【００２１】
キャビネット１の背面を構成する背面パネル２０は、アルミ押し出しフレームの外周矩形枠を有している。外周矩形枠は、縦フレーム２０ａ，２０ｂ、横フレーム２０ｃ，２０ｅで構成される。また、当該外周矩形枠を上下に２等分する横フレーム２０ｄが、横フレーム２０ｃ，２０ｅと並行に、縦フレーム２０ａ，２０ｂに固定されている。横フレーム２０ｄ上には、上部が４５度に傾斜した略コの字状の板金２１が固定されている。
【００２２】
また、背面パネル２０において横フレーム２０ｄで分割された外周矩形枠の下半分の内側には、背板２２が取り付けられている。背板２２は、その下部が横フレーム２０ｅとヒンジ８０で回転自在に連結されており、回転した開状態とするとキャビネット１の内部が露出する。一方、閉状態では背板２２の上部が横フレーム２０ｄにラッチ機構（図示せず）で固定され、外周矩形枠にはめ込まれた状態となる。
【００２３】
また、縦フレーム２０ａ，２０ｂの上部には、上段のプロジェクションユニットと結合するためのジョイント部２０ａｊ，２０ｂｊが設けられている。ジョイント部２０ａｊ，２０ｂｊは、横フレーム２０ｃの取り付け位置よりも突出して縦フレーム２０ａ，２０ｂの上部に設けられ、その外寸は縦フレーム２０ａ，２０ｂの下面中空部の内寸と一致する。
【００２４】
キャビネット１の左側面を構成する左側面パネル３０は、アルミ押し出しフレームの外周略矩形枠を有している。外周略矩形枠は、縦フレーム３０ａ，３０ｂ，３０ｅと、横フレーム３０ｃ，３０ｄで構成され、その内側には左側板３５（図９参照）が矩形の穴を塞ぐように取り付けられている。なお、図２では内部の構造を分かり易くするため左側板３５を省略している。
【００２５】
また、縦フレーム３０ａ，３０ｂの上部には、上段のプロジェクションユニットと結合するためのジョイント部３０ａｊ，３０ｂｊが設けられている。ジョイント部３０ａｊ，３０ｂｊは、横フレーム３０ｃの取り付け位置よりも突出して縦フレーム３０ａ，３０ｂの上部に設けられ、その外寸は縦フレーム３０ａ，３０ｂの下部中空部の内寸と一致する。
【００２６】
また、縦フレーム３０ａと横フレーム３０ｃに２辺を隣接して、略三角形状のカバー板金３２が固定されている。カバー板金３２は、ミラー支持フレーム１５を４５度に回転させて板金２１と固定した際に、ミラー支持フレーム１５と左側面パネル３０との間に出来る隙間を塞ぐためのものである。
【００２７】
キャビネット１の右側面を構成する右側面パネル４０は、左側面パネル３０と左右対称な構造であるため、説明を省略する。なお、図２では、右側面パネル４０において外周略矩形枠の内側に矩形の穴を塞ぐように取り付けられる右側板４５（図９参照）の図示を省略している。
【００２８】
キャビネット１の底面を構成する底面パネル５０は、底板５１と、ヒンジ８０により底板５１に対して回転自在に連結された底板５２とを備える。
【００２９】
＜設置時＞
部分パネルをボルト９０で結合することにより、キャビネット１を組み立て、さらにキャビネット１にスクリーンユニット２と光学ユニット３を取り付けることにより、プロジェクタユニットの組立てが完成する。
【００３０】
以下、１段目のキャビネット１の上に２段目のキャビネット１を積み上げる、段積み工程を図３〜７に沿って説明する。以下の工程では、各部分パネルごとに積み上げを行う。
【００３１】
図３は、右側面パネル４０の積み上げ工程を示す斜視図である。縦フレーム４０ａの下面中空部を下段のジョイント部４０ａｊに嵌め合わせ、縦フレーム４０ｂの下面中空部を下段のジョイント部４０ｂｊに嵌め合わせる。図３では、既に左側面パネル３０を下段のキャビネット１に取り付けた状態を示しているが、取り付け方法は右側面パネル４０と同様である。このように、縦フレームの下面中空部が、下段キャビネット１の対応する縦フレームに形成されたジョイント部と嵌合することにより、部分パネル毎の積み上げが容易になる。
【００３２】
図４は、右側面パネル４０に次ぐ背面パネル２０の積み上げ工程を示す斜視図である。ここでは、縦フレーム２０ａの下面中空部を下段のジョイント部２０ａｊに嵌め合わせ、縦フレーム２０ｂの下面中空部を下段のジョイント部２０ｂｊに嵌め合わせる。その後、ボルト９０で背面パネル２０を左側面パネル３０と右側面パネル４０に固定する。
【００３３】
図５は、背面パネル２０に次ぐ前面パネル１０の積み上げ工程を示す斜視図である。ここでは、縦フレーム１０ａの下面中空部を下段のジョイント部１０ａｊに嵌め合わせ、縦フレーム１０ｂの下面中空部を下段のジョイント部１０ｂｊに嵌め合わせる。その後、ボルト（図示せず）で前面パネル１０を左側面パネル３０と右側面パネル４０に固定する。
【００３４】
図６は、前面パネル１０に次ぐ底面パネル５０の積み上げ工程を示す斜視図である。背板２２を開き、その開口からキャビネット１内部に底面パネル５０を挿入する。そして、前面パネル１０の横フレーム１０ｄと背面パネルの横フレーム２０ｅにネジ止めする。
【００３５】
また、ミラー支持フレーム１５を、前面パネル１０に対する取り付け箇所を中心に、背面パネル側へ４５度回転させ、板金２１の上面にネジ止めする。この状態で、ミラー支持フレーム１５やこれに取り付けられたミラー支持板金１６、ミラーカバー１８がキャビネット１の天面を構成する。
【００３６】
なお、図３〜図６では、下段のキャビネット１にスクリーンユニット２を取り付けていないが、下段のキャビネット１にスクリーンユニット２を取り付けた後で積み上げを行っても良い。
【００３７】
図７は、底面パネル５０の積み上げに次ぐスクリーンユニット２及び光学ユニット３の取り付け工程を示す斜視図である。スクリーンユニット２は、キャビネット１の前面パネルにボルト（図示せず）等で固定される。光学ユニット３は、背板２２を開いた状態でその開口からキャビネット１内に差し入れ、底板５１上に設置する。
【００３８】
なお、図３〜７に沿って説明した各工程の順序は例示であり、各工程を可能な範囲で入れ替えて実施しても良い。
【００３９】
こうして、図８に示すように、プロジェクションユニットを複数段に積み重ねることが可能になる。各部分パネルはキャビネット１本体に比べて軽量であるので、部分パネルごとの積み上げ作業はキャビネット１ごと積み上げる作業に比べて容易である。段積み構造において、左側面パネル３０の縦フレーム３０ａ，３０ｂ、右側面パネル４０の縦フレーム４０ａ，４０ｂが支柱となり、上段のプロジェクションユニットの荷重を支えるのに十分な強度を有する。プロジェクションユニットは積み上げの他、横方向にも隣接して配置され、マルチビジョンが構成される。
【００４０】
＜輸送・保管時＞
図９は、キャビネット１を部分パネルに分割して積み重ねた状態を示す斜視図である。部分パネルに分割することで、キャビネット１の体積を大幅に縮小することが出来る。よって、省スペースで保管することが可能になる他、輸送のコストが低減する。
【００４１】
＜効果＞
本実施の形態のキャビネットは、複数個のプロジェクションユニットを配列して構成するマルチビジョンにおける前記プロジェクションユニットのキャビネット１であって、キャビネット本体を、互いに組み外し可能な複数の部分パネルを備えて構成したことを特徴とする。キャビネット１を部分パネルに分解することで非設置時に体積が小さくなり、保管や輸送が容易になる。また、部分パネルごとに積み上げることにより、キャビネット１の積み上げ作業が容易になる。
【００４２】
また、本実施の形態のキャビネットにおいて、複数のプロジェクションユニットの配列設置時に高さ方向に沿って位置する部分パネルは、上段のプロジェクションユニットの対応する部分パネルの底面に嵌合するジョイント部１０ａｊ，１０ｂｊ，２０ａｊ，２０ｂｊ，３０ａｊ，３０ｂｊ，４０ａｊ，４０ｂｊ，５０ａｊ，５０ｂｊを有する。上下段の対応する部分パネル同士が嵌合する構造であるため、部分パネル毎の積み上げが容易となる。
【００４３】
また、本実施の形態のキャビネットにおいて、前記部分パネルは、前面パネル１０、背面パネル２０、左右側面パネル３０，４０、及び底面パネル５０を含む。キャビネット１をこのような分解可能な部分パネルで構成することにより、非設置時に体積を削減でき、保管や輸送が容易になる。また、部分パネルごとに積み上げることにより、キャビネット１の積み上げ作業が容易になる。
【００４４】
本実施の形態のプロジェクションユニットは、本実施の形態のキャビネット１と、キャビネット１内に着脱可能に設置され、映像光を出射する光学ユニット３と、部分パネルに着脱可能に取り付けられ、光学ユニット３からの映像光を受けて映像を表示するスクリーンユニット２と、を備える。キャビネット１からスクリーンユニット２と光学ユニット３を取り外した上で、キャビネット１を部分パネルに分解することで、プロジェクションユニットの体積を非設置時に削減でき、保管や輸送が容易になる。また、部分パネルごとに積み上げることにより、プロジェクションユニットの積み上げ作業が容易になる。
【００４５】
また、本実施の形態のプロジェクションユニットは、キャビネット１内に設けられ、光学ユニット３からの映像光を反射してスクリーンユニット２に入射させる反射ミラーを備えるので、光学ユニット３の映像光を直接スクリーンユニット２に入射させる直接投射型に比べて、キャビネット１の奥行きを浅くすることが可能である。
【符号の説明】
【００４６】
１  キャビネット、２  スクリーンユニット、３  光学ユニット、１０  前面パネル、１０ａ，１０ｂ，２０ａ，２０ｂ，３０ａ，３０ｂ，３０ｅ，４０ａ，４０ｂ，４０ｅ  縦フレーム、１０ａｊ，１０ｂｊ，２０ａｊ，２０ｂｊ，３０ａｊ，３０ｂｊ，４０ａｊ，４０ｂｊ，５０ａｊ，５０ｂｊ  ジョイント部、１０ｃ，１０ｄ，２０ｃ，２０ｄ，２０ｅ，３０ｃ，３０ｄ，４０ｃ，４０ｄ  横フレーム、１５  ミラー支持フレーム、１６  ミラー支持板金、２０  背面パネル、２１  コの字状板金、２２  背板、３０  左側面パネル、３５  左側板、４０  右側面パネル、４５  右側板、５０  底面パネル、５１，５２  底板、８０  ヒンジ、９０  ボルト。
【図１】
2013117647.tif 000003
【図２】
2013117647.tif 000004
【図３】
2013117647.tif 000005
【図４】
2013117647.tif 000006
【図５】
2013117647.tif 000007
【図６】
2013117647.tif 000008
【図７】
2013117647.tif 000009
【図８】
2013117647.tif 000010
【図９】
2013117647.tif 000011